(57)【要約】  携帯電話の外観デザインの自由度を高めつつ、ワンセグ放送受信時の煩わしさを低減する。  アンテナ装置は、アンテナ素子と、アンテナ素子に接続された給電線と、給電線に接続されたマッチング回路と、マッチング回路に接続された給電点と、給電点及びマッチング回路が搭載されたグランド板とを備える。アンテナ素子にはグランド板の延在方向に対して平行に延在する第１板部と、第１板部の先端から略垂直に延在する第２板部と、第２板部の先端から第１板部に平行に延在する第３板部とが備えられている。グランド板は延在方向に対して折り畳み自在である。給電線により形成されたグランド板からアンテナ素子までの隙間の間隔をＧ、グランド板から第２板部の外端部までの長さをＬ、これらの比率をＲとした場合、式（１）〜（３）の関係を満たす。Ｇ＝Ｒ・Ｌ・・・（１）３．５ｍｍ≦Ｌ≦１１ｍｍ・・・（２）０．０６≦Ｒ≦０．９５・・・（３）
2009125759.tif 000002
【特許請求の範囲】
【請求項１】
アンテナ素子と、
前記アンテナ素子に接続された給電線と、
前記給電線に接続されたマッチング回路と、
前記マッチング回路に接続された給電点と、
前記給電点及び前記マッチング回路が搭載されたグランド板とを備え、
前記アンテナ素子は、
前記給電線に接続されるとともに、前記グランド板から離れる方向に向けて、前記グランド板の延在方向に対して平行に延在する第１板部と、
前記第１板部の先端から略垂直に延在する第２板部と、
前記第２板部の先端から前記グランド板に近づく方向に向けて、前記第１板部に平行に延在する第３板部とを備え、
前記グランド板は、前記延在方向に対して折り畳み自在であり、
前記給電線により形成された前記グランド板から前記アンテナ素子までの隙間の間隔をＧ、前記グランド板から前記第２板部の外端部までの長さをＬ、これらの比率をＲとした場合、式（１）〜（３）の関係を満たすことを特徴とするアンテナ装置。
Ｇ＝Ｒ・Ｌ・・・（１）
３．５ｍｍ≦Ｌ≦１１ｍｍ・・・（２）
０．０６≦Ｒ≦０．９５・・・（３）
【請求項２】
請求項１記載のアンテナ装置において、
前記比率Ｒが式（４）で求められる場合、前記式（４）における各係数ａ１〜ａ５は、以下の範囲を満たすことを特徴とするアンテナ装置。
Ｒ＝ａ１・Ｌ４＋ａ２・Ｌ３＋ａ３・Ｌ２＋ａ４・Ｌ＋ａ５・・・（４）
−０．００６４≦ａ１≦０．００２２０４
−０．０７９８２≦ａ２≦０．２３１６
−３．１０７８≦ａ３≦１．０７７１０
−６．４３９２≦ａ４≦１８．４１６８
−４０．３９２７≦ａ５≦１４．５４３１
【請求項３】
請求項２記載のアンテナ装置において、
前記式（４）における各係数ａ１〜ａ５は、以下の範囲を満たし、なおかつ前記長さＬと前記比率Ｒが式（５），（６）の関係を満たすことを特徴とするアンテナ装置。
−０．００６４≦ａ１≦０．００１５５４
−０．０５５９２≦ａ２≦０．２３１６
−３．１０７８≦ａ３≦０．７５２１７
−４．５０４８≦ａ４≦１８．４１６８
−４０．３９２７≦ａ５≦１０．３０８７
６．６ｍｍ≦Ｌ≦１１ｍｍ・・・（５）
０．０８≦Ｒ≦０．６１・・・（６）
【請求項４】
請求項１〜３のいずれか一項に記載のアンテナ装置において、
前記第１板部の延在長さと、前記第３板部の延在長さとが略同一であることを特徴とするアンテナ装置。
【請求項５】
請求項１〜４のいずれか一項に記載のアンテナ装置において、
前記アンテナ素子の幅は、前記グランド板の幅と略同一に設定されていることを特徴とするアンテナ装置。
【請求項６】
請求項１〜４のいずれか一項に記載のアンテナ装置において、
前記グランド板は、延在長さが７３〜８２ｍｍ、幅が３５〜４５ｍｍの基板を２枚折り畳み自在に備えることを特徴とするアンテナ装置。
【発明の詳細な説明】
【技術分野】
【０００１】
本発明は、アンテナ装置に係り、特に携帯電話に搭載されるワンセグ放送受信用のアンテナ装置に関する。
【背景技術】
【０００２】
携帯電話においては、通話用途の通信アンテナの小型化が進んだことにより、当該アンテナを筐体内に収めたままでも十分な通話性能を発揮できるようになっている。このため、携帯電話の外観形状には、通信アンテナにより阻害されることのない自由度の高いデザインを用いることが可能になっている。【０００３】
ところで、近年では、ワンセグ放送の受信が可能な携帯電話も実用化されているが、上述の通信アンテナでワンセグ放送を受信しようとしても、ワンセグ放送波の一波長の長さが約４３ｃｍ〜６４ｃｍであるために、携帯電話の筐体に内蔵された通信アンテナでは受信できないのが実状である。【０００４】
このため、通信アンテナとは別個に、ワンセグ放送波の一波長長さに対応したロッドアンテナを携帯電話に搭載することで、ワンセグ放送を受信するアンテナ装置が開発されている（例えば特許文献１参照）。
【先行技術文献】
【特許文献】
【０００５】
【特許文献１】特開２００７−２８１８３２号公報
【発明の概要】
【発明が解決しようとする課題】
【０００６】
しかしながら、ロッドアンテナの場合、携帯電話の筐体内に内蔵したままでワンセグ放送を受信することは困難であり、使用時においては取り付け或いは伸張して筐体外に露出させる必要がある。特に、特許文献１記載のアンテナ装置では収容スペースの問題からロッドアンテナを着脱式としているが、これは未使用時においてはロッドアンテナを取り外し、使用時に取り付けなければならないために、携帯電話ともにロッドアンテナをも携帯しなければ、ワンセグ放送をどこでも視聴することはできないという問題がある。
また、伸縮式のロッドアンテナを用いる場合においても、視聴時にはロッドアンテナを伸張させなければならず、ユーザに煩わしさを与えることになっていた。【０００７】
本発明の課題は、筐体に内蔵したままでもワンセグ放送の受信可能なアンテナ装置を提供することで、携帯電話の外観デザインの自由度を高めつつ、ワンセグ放送受信時の煩わしさを低減することである。
【課題を解決するための手段】
【０００８】
請求項１記載の発明に係るアンテナ装置は、
アンテナ素子と、
前記アンテナ素子に接続された給電線と、
前記給電線に接続されたマッチング回路と、
前記マッチング回路に接続された給電点と、
前記給電点及び前記マッチング回路が搭載されたグランド板とを備え、
前記アンテナ素子は、
前記給電線に接続されるとともに、前記グランド板から離れる方向に向けて、前記グランド板の延在方向に対して平行に延在する第１板部と、
前記第１板部の先端から略垂直に延在する第２板部と、
前記第２板部の先端から前記グランド板に近づく方向に向けて、前記第１板部に平行に延在する第３板部とを備え、
前記グランド板は、前記延在方向に対して折り畳み自在であり、
前記給電線により形成された前記グランド板から前記アンテナ素子までの隙間の間隔をＧ、前記グランド板から前記第２板部の外端部までの長さをＬ、これらの比率をＲとした場合、式（１）〜（３）の関係を満たすことを特徴としている。
Ｇ＝Ｒ・Ｌ・・・（１）
３．５ｍｍ≦Ｌ≦１１ｍｍ・・・（２）
０．０６≦Ｒ≦０．９５・・・（３）【０００９】
請求項２記載の発明は、請求項１記載のアンテナ装置において、
前記比率Ｒが式（４）で求められる場合、前記式（４）における各係数ａ１〜ａ５は、以下の範囲を満たすことを特徴としている。
Ｒ＝ａ１・Ｌ４＋ａ２・Ｌ３＋ａ３・Ｌ２＋ａ４・Ｌ＋ａ５・・・（４）
−０．００６４≦ａ１≦０．００２２０４
−０．０７９８２≦ａ２≦０．２３１６
−３．１０７８≦ａ３≦１．０７７１０
−６．４３９２≦ａ４≦１８．４１６８
−４０．３９２７≦ａ５≦１４．５４３１【００１０】
請求項３記載の発明は、請求項２記載のアンテナ装置において、
前記式（４）における各係数ａ１〜ａ５は、以下の範囲を満たし、なおかつ前記長さＬと前記比率Ｒが式（５），（６）の関係を満たすことを特徴としている。
−０．００６４≦ａ１≦０．００１５５４
−０．０５５９２≦ａ２≦０．２３１６
−３．１０７８≦ａ３≦０．７５２１７
−４．５０４８≦ａ４≦１８．４１６８
−４０．３９２７≦ａ５≦１０．３０８７
６．６ｍｍ≦Ｌ≦１１ｍｍ・・・（５）
０．０８≦Ｒ≦０．６１・・・（６）【００１１】
請求項４記載の発明は、請求項１〜３のいずれか一項に記載のアンテナ装置において、
前記第１板部の延在長さと、前記第３板部の延在長さとが略同一であることを特徴としている。【００１２】
請求項５記載の発明は、請求項１〜４のいずれか一項に記載のアンテナ装置において、
前記アンテナ素子の幅は、前記グランド板の幅と略同一に設定されていることを特徴としている。【００１３】
請求項６記載の発明は、請求項１〜４のいずれか一項に記載のアンテナ装置において、
前記グランド板は、延在長さが７３〜８２ｍｍ、幅が３５〜４５ｍｍの基板を２枚折り畳み自在に備えることを特徴としている。
【発明の効果】
【００１４】
本発明者らは、グランド板から離れる方向に向けて、グランド板の延在方向に対して平行に延在する第１板部と、第１板部の先端から略垂直に延在する第２板部と、第２板部の先端からグランド板に近づく方向に向けて、第１板部に平行に延在する第３板部とからなるアンテナ素子とともにマッチング回路を用い、なおかつ前記間隔Ｇ、前記長さＬ及び前記比率Ｒを、式（１）〜（３）を満たすようにすれば、携帯電話の筐体内にアンテナ装置を内蔵したままであってもワンセグ放送波を受信することを見いだした。つまり、本発明のアンテナ装置を携帯電話に適用すれば、アンテナ装置を筐体に内蔵したままでもワンセグ放送の受信が可能となって、結果的に携帯電話の外観デザインの自由度を高めつつ、ワンセグ放送受信時の煩わしさを低減することが可能となる。
【図面の簡単な説明】
【００１５】
【図１】本実施形態のアンテナ装置の概略構成を表す上面図である。
【図２】図１のアンテナ装置の概略構成を表す側面図である。
【図３Ａ】図１のアンテナ装置に備わるアンテナ素子の概略構成を示す上面図である。
【図３Ｂ】図１のアンテナ装置に備わるアンテナ素子の概略構成を示す側面図である。
【図３Ｃ】図１のアンテナ装置に備わるアンテナ素子の概略構成を示す下面図である。
【図４】図１のアンテナ装置に備わるマッチング回路の回路構成を示す回路図である。
【図５】マッチング回路が搭載されていないアンテナ装置の概略構成を示す上面図である。
【図６】図５のアンテナ装置のアンテナ特性を示すグラフである。
【図７】長さＬ＝７ｍｍの場合の放射効率を示すグラフである。
【図８】長さＬ＝９ｍｍの場合の放射効率を示すグラフである。
【図９】長さＬ＝１１ｍｍの場合の放射効率を示すグラフである。
【図１０】ワンセグ周波数帯で各ギャップ比率Ｒに対する最小の放射効率値を、長さＬ毎に示したグラフである。
【図１１】各長さＬ毎に、−８．０ｄＢ以上となるギャップ比率Ｒの最小値、最大値をプロットしたグラフである。
【図１２】ギャップ比率Ｒを０．２に固定とし、基板の延在長さＬ２の変動に基づいてワンセグ周波数帯で最小の放射効率値がどのように変動するかを、長さＬ毎に示したグラフである。
【図１３Ａ】図３Ａ〜図３Ｃのアンテナ素子における第３板部の変形例を示す説明図である。
【図１３Ｂ】図３Ａ〜図３Ｃのアンテナ素子における第３板部のその他の変形例を示す説明図である。
【図１３Ｃ】図３Ａ〜図３Ｃのアンテナ素子における第１板部の変形例を示す説明図である。
【図１４Ａ】図３Ａ〜図３Ｃのアンテナ素子における第３板部の延在長さが第１板部よりも長いアンテナ素子を示す説明図である。
【図１４Ｂ】図３Ａ〜図３Ｃのアンテナ素子における第１板部の延在長さが第３板部よりも長いアンテナ素子を示す説明図である。
【図１５】各厚みＴにおける各長さＬ毎の、−８．０ｄＢ以上となるギャップ比率Ｒの最小値、最大値を近似曲線でプロットしたグラフである。
【発明を実施するための形態】
【００１６】
以下、本実施形態に係るアンテナ装置について図面を参照し説明する。図１は、本実施形態のアンテナ装置の概略構成を示す上面図であり、図２は側面図である。図１，２に示すようにアンテナ装置１には、アンテナ素子１０と、アンテナ素子１０に接続された給電線２０と、給電線２０に接続されたマッチング回路３０と、マッチング回路３０に接続された給電点４０と、給電点４０及びマッチング回路３０が搭載されたグランド板５０とが設けられている。
【００１７】
図３Ａはアンテナ素子１０の概略構成を示す上面図であり、図３Ｂは側面図、図３Ｃは下面図である。図１及び図３Ａ〜３Ｃに示すように、アンテナ素子１０には、グランド板５０から離れる方向に向けて、グランド板５０の延在方向に対して平行に延在する第１板部１１と、第１板部１１の先端から略垂直に延在する第２板部１２と、第２板部１２の先端からグランド板５０に近づく方向に向けて、第１板部１１に平行に延在する第３板部１３とが備えられている。そして、第１板部１１の延在長さと、第３板部１３の延在長さとは略同一に設定されている。これによりアンテナ素子１０は、側面視略コ字状（図では逆コ字状）の形状を成す。
【００１８】
アンテナ素子１０は、携帯電話等の携帯機器に内蔵されるために、そのサイズが以下の範囲内に収まるように設定されていることが好ましい。幅Ｗ＝３５〜５０ｍｍ、厚みＴ＝１．５〜７ｍｍ、長さＨ＝５〜１０ｍｍ。なお、アンテナ素子１０の幅Ｗについては、上記の範囲内で、なおかつグランド板５０の幅Ｗ２とほぼ同等に設定されていることが好ましい。
【００１９】
このアンテナ素子１０は、板厚が例えば０．１５ｍｍ程度の一枚の金属製板を折り曲げることにより形成されている。金属製板としては、例えば板金、銅箔、フレキシブル基板等が挙げられる。この金属製板の強度が大きい場合には、第１板部１１と第２板部１２との平行状態が維持されるように、アンテナ素子１０単体で第１板部１１と第２板部１２の間を中空にすることができる。しかしながら、単体で上記の平行状態を維持できるほどの強度がない場合には、第１板部１１と第３板部１３との間に、例えば樹脂等の誘電体からなるスペーサを介在させることで、第１板部１１と第３板部１３との平行状態を維持させる。なお、スペーサを樹脂で形成した場合、当該樹脂は一定の誘電率を持っているために、その誘電率による電波に対する波長短縮効果によってアンテナ素子１０を小型化することも可能である。なお、小型化する際においては、上述したサイズを逸脱しない範囲で小型化することが望ましい。
【００２０】
給電線２０は、例えば、リード線、銅箔、フレキシブル基板等、通常導体配線用として用いられる素材により形成されている。図１，２に示すように、給電線２０の先端部は、アンテナ素子１０における第１板部１１の基端部に接続されている。具体的には第１板部１１の幅方向における略中央に接続されている。一方、給電線２０の基端部は、グランド板５０上のマッチング回路３０に接続されている。
【００２１】
給電線２０により形成されたグランド板５０からアンテナ素子１０までの隙間の間隔Ｇは、グランド板５０から第２板部１２の外端部までの長さＬ（＝Ｈ＋Ｇ）及びこれらの比率Ｒとの関係が下記式（１）〜（３）を少なくとも満たす値に設定されている。
【００２２】
Ｇ＝Ｒ・Ｌ・・・（１）
３．５ｍｍ≦Ｌ≦１１ｍｍ・・・（２）
０．０６≦Ｒ≦０．９５・・・（３）
【００２３】
さらに間隔Ｇとして好ましい値は、下記式（５），（６）を満たす範囲内に収まる値である。
【００２４】
６．６ｍｍ≦Ｌ≦１１ｍｍ・・・（５）
０．０８≦Ｒ≦０．６１・・・（６）
【００２５】
マッチング回路３０は、アンテナ素子１０の中心周波数をワンセグ放送の周波数帯域内に調整するものである。マッチング回路３０の回路構成は、前述したようにアンテナ素子１０の中心周波数をワンセグ放送の周波数帯域内に調整することができるものであれば、如何なるものであってもよい。本実施形態では、例えば図４に示す回路構成のマッチング回路３０を用いている。具体的に説明すると、図４に示すようにマッチング回路３０には、アンテナ素子１０及び給電点４０に対して直列に接続された第１インダクタ３１と、アンテナ素子１０に対して並列となるように第１インダクタ３１のアンテナ素子１０側に接続された第１コンデンサ３２と、アンテナ素子１０に対して並列となるように第１インダクタ３１の給電点４０側に接続された第２インダクタ３３と、アンテナ素子１０に対して並列となるように第１インダクタ３１の給電点４０側に接続された第２コンデンサ３４とが設けられている。第１コンデンサ３２、第２インダクタ３３、第２コンデンサ３４の他端側はグラウンドに接続されている。
【００２６】
ところで、図５に示すように、マッチング回路３０が搭載されていないアンテナ装置１００であると、他の構成が上記のアンテナ装置１と同じ構成であっても、中心周波数が約１．１ＧＨｚ、ＶＳＲが３以下となる帯域幅はおよそ４５０ＭＨｚであるために、ワンセグ放送の周波数帯（４７０ＭＨｚ〜７７０ＭＨｚ）の電波は受信できない（図６参照）。しかしながら、図１に示すようにマッチング回路３０を搭載すれば、中心周波数がワンセグ放送の周波数帯内にシフトさせることが可能となる。
ここで、第１インダクタ３１のインダクタンスは１５〜２７ｎＨ内に設定されていれば、ワンセグ放送の周波数帯に中心周波数をシフトすることが可能である。なお、その他の第１コンデンサ３２、第２インダクタ３３、第２コンデンサ３４は、グランド板５０等のサイズによってマッチング調整の定数が変化するために、そのサイズに適したインダクタンスに設定する必要がある。
【００２７】
図１に示すように、グランド板５０は略四角板状の２枚の基板５１を延在方向に折り畳み自在となるように備えている。具体的には、２枚の基板５１は折り畳み箇所がフレキシブル基板５２等によって連結されている。そして、グランド板５０には、給電線２０、マッチング回路３０及び給電点４０以外にも携帯電話の回路素子が搭載されている。なお、グランド板５０は携帯電話に搭載することが前提であるので、各基板５１は携帯電話に内蔵可能なサイズ、具体的には延在長さＬ２が７３〜８２ｍｍ、幅Ｗ２が３５〜４５ｍｍの範囲に収められている。
【００２８】
次に、アンテナ装置１の放射効率が、間隔Ｇと長さＬとのギャップ比率Ｒ（＝Ｇ／Ｌ）の違いによってどのように変化するかについて説明する。図７は、長さＬを７ｍｍに固定して、アンテナ素子１０の長さＨと、間隔Ｇとを異ならせることで、各ギャップ比率Ｒの放射特性をシミュレーションにより求め、その結果を示したグラフである。また図８は、長さＬを９ｍｍに固定して、アンテナ素子１０の長さＨと、間隔Ｇとを異ならせることで、各ギャップ比率Ｒの放射特性をシミュレーションにより求め、その結果を示したグラフである。図９は、長さＬを１１ｍｍに固定して、アンテナ素子１０の長さＨと、間隔Ｇとを異ならせることで、各ギャップ比率Ｒの放射特性をシミュレーションにより求め、その結果を示したグラフである。なお、アンテナ素子１０のその他のサイズは、幅Ｗ＝４０ｍｍ、Ｔ＝２ｍｍとした。また、基板５１は、幅Ｗ２＝４０ｍｍ、長さＬ２＝８０ｍｍとした。また、マッチング回路３０における第１インダクタ３１のインダクタンスは２２ｎＨとした。
【００２９】
ここで、４７０ＭＨｚ〜７１０ＭＨｚ帯で放射効率が−８．０ｄＢ以上であればワンセグ放送の受信機能を満足することになる（図７，８，９の太線Ｂ参照）。これらの結果を基に、ワンセグ周波数帯で各ギャップ比率Ｒに対する最小の放射効率値を、長さＬ毎に示したグラフが図１０である。長さＬ＝７ｍｍの場合では、ギャップ比率Ｒが０．１７３１以上、０．３７０７３以下の範囲に収まっていると放射効率が−８．０ｄＢ以上となる（図１０中、Ｇ７ｍｉｎ、Ｇ７ｍａｘ参照）。長さＬ＝９ｍｍの場合では、ギャップ比率Ｒが０．１０９２２以上、０．５５３１７以下の範囲に収まっていると放射効率が−８．０ｄＢ以上となる（図１０中、Ｇ９ｍｉｎ、Ｇ９ｍａｘ参照）。長さＬ＝１１ｍｍの場合では、ギャップ比率Ｒが０．１７３１以上、０．３７０７３以下の範囲に収まっていると、放射効率が−８．０ｄＢ以上となる（図１０中、Ｇ１１ｍｉｎ、Ｇ１１ｍａｘ参照）。つまり、ギャップ比率Ｒが０．１７３１以上、０．３７０７３以下の範囲に収まっていれば、いずれの長さＬでも全てのワンセグ周波数帯で−８．０ｄＢを越えることになる。
【００３０】
そして、各長さＬ毎に、−８．０ｄＢ以上となるギャップ比率Ｒの最小値（Ｇ７ｍｉｎ、Ｇ９ｍｉｎ、Ｇ１１ｍｉｎ）、最大値（Ｇ７ｍａｘ、Ｇ９ｍａｘ、Ｇ１１ｍａｘ）をプロットし、さらに新たに長さＬ＝６．２ｍｍ、６．３ｍｍ、６．５ｍｍにおける最小値（Ｇ６．３ｍｉｎ、Ｇ６．５ｍｉｎ）と最大値（Ｇ６．３ｍａｘ、Ｇ６．５ｍａｘ）とを追加した（図１１参照）。なお、長さＬ＝６．２ｍｍでは、最大値と最小値がほぼ同値（Ｇ６．２）になる。これらの結果から近似曲線を求めた。最小値の近似曲線Ｓ１は式（７），（８）となり、最大値の近似曲線Ｓ２は式（９），（１０）となった。
【００３１】
近似曲線Ｓ１は、６．２≦Ｌ≦６．５の場合、
Ｒｍｉｎ＝−１．０５３８・Ｌ２ + １３．６５１・Ｌ−４３．８７７・・・（７）
であり、
６．５＜Ｌの場合、
Ｒｍｉｎ＝−２．０７８９×１０−３・Ｌ３＋５．０８４０×１０−２・Ｌ２−３．２０９９×１０−１・Ｌ＋ ８．３９５５×１０−1・・・（８）
である。
【００３２】
近似曲線Ｓ２は、６．２≦Ｌ≦６．５の場合、
Ｒｍａｘ＝２．１０１×１０−１・Ｌ２ ―２．８５４・Ｌ＋９．８６６５・・・（９）
であり、
６．５＜Ｌの場合、
Ｒｍａｘ＝−３．６５５６×１０−５・Ｌ３＋５．１７４５×１０−３・Ｌ２−１．０７６８×１０−１・Ｌ＋６．８５８３×１０−１・・・（１０）
である。
【００３３】
つまり、これら２つの近似曲線Ｓ１，Ｓ２がなす内側領域内（式（１１））にギャップ比率Ｒが収まっていれば、ワンセグ周波数帯の少なくとも一部では放射効率が−８．０ｄＢを越えることになる。
【００３４】
Ｒｍｉｎ≦Ｒ≦Ｒｍａｘ・・・（１１）
【００３５】
なお、上記の２つの近似曲線Ｓ１，Ｓ２の交点（Ｇ６．２）よりも長さＬが小さい場合にはギャップ比率Ｒが式（１１）の関係を満たさないので、長さＬは少なくとも６．２ｍｍ以上必要である。
【００３６】
そして、近似曲線Ｓ１の極小値を求めるとギャップ比率Ｒ≒０．０７６となり、近似曲線Ｓ２の極大値を求めるとギャップ比率Ｒ≒０．８６０となった。
【００３７】
０．００７５・Ｌ≦Ｇ０．８６・Ｌ・・・（１２）
【００３８】
式（１２）の範囲に間隔Ｇが少なくとも収まっていれば、ワンセグ周波数帯の少なくとも一部では放射効率が−８．０ｄＢを越えることになり、その部分では好適にワンセグ放送波を受信することが可能となる。特に、長さＬが１１ｍｍでは、間隔Ｇが式（１２）の範囲内に収まっていればワンセグ周波数帯のほとんど全ての領域で放射効率が−８．０ｄＢを越えることになる。一方、長さＬが７ｍｍの場合でも、間隔Ｇが式（１２）の範囲内に収まっていると、ワンセグ周波数帯のおおよそ半分の領域で放射効率が−８．０ｄＢを越えることになる。
【００３９】
次に、上記条件の基板５１の場合、ギャップ比率Ｒが０．２のときにアンテナ特性が最も良くなる。ここでは、ギャップ比率Ｒを０．２に固定とし、基板５１の延在長さＬ２の変動に基づいてワンセグ周波数帯で最小の放射効率値がどのように変動するかを、長さＬ毎に比較した。その比較結果が図１２のグラフである。この図１２からわかるように、いずれの長さＬにおいても、基板５１の延在長さＬ２が８０ｍｍをピークとして、８０ｍｍから離れれば放射効率が徐々に低下している。このため、基板５１の延在長さＬ２として好ましいのは放射効率が−８．０ｄＢを上回る７８〜８２ｍｍであり、さらに好ましいのは８０ｍｍである。
【００４０】
また、図１１では、アンテナ素子１０の厚さＴを２ｍｍで一定にした場合の近似曲線Ｓ１，Ｓ２を示しているが、アンテナ素子１０の厚さＴを１．５ｍｍ、２ｍｍ、３ｍｍ、４．２５ｍｍ、５．５ｍｍ、７ｍｍと変更し、上記の手法と同様の手法により各厚さＴの近似曲線をプロットしたものが図１５である。この図１５からも明らかなように、ギャップ比率Ｒが式（３）の範囲に収まっていれば、ワンセグ周波数帯の少なくとも一部では放射効率が−８．０ｄＢを越えることになり、その部分では好適にワンセグ放送波を受信することが可能となる。
【００４１】
次いで、各厚さＴにおける近似曲線Ｓ１，Ｓ２について説明する。
厚さＴ＝１．５ｍｍの最小値の近似曲線Ｓ１（１．５）と、最大値の近似曲線Ｓ２（１．５）は式（１３），（１４）で示される。
Ｒｍｉｎ＝０．００２２０４・Ｌ４＋０．０７９８１８・Ｌ３＋１．０７７１・Ｌ２−６．４３９２・Ｌ−１４．５４３０・・・（１３）
Ｒｍａｘ＝−０．００６４・Ｌ４＋０．２３１６・Ｌ３−３．１０７８・Ｌ２＋１８．４１６８・Ｌ−４０．３９２７・・・（１４）
【００４２】
厚さＴ＝２ｍｍの最小値の近似曲線Ｓ１（２．０）と、最大値の近似曲線Ｓ２（２．０）は式（１５），（１６）で示される。
Ｒｍｉｎ＝０．００１５５３・Ｌ４−０．０５５９２・Ｌ３＋０．７５２２・Ｌ２−４．５０４８・Ｌ＋１０．１２０８９・・・（１５）
Ｒｍａｘ＝０・Ｌ４＋０．００２７１７・Ｌ３−０．０７３７９・Ｌ２＋０．７４０３・Ｌ−２．１４０８・・・（１６）
【００４３】
厚さＴ＝３ｍｍの最小値の近似曲線Ｓ１（３．０）と、最大値の近似曲線Ｓ２（３．０）は式（１７），（１８）で示される。
Ｒｍｉｎ＝０．００１６５０・Ｌ４−０．０５８６２・Ｌ３＋０．７７６０・Ｌ２−４．５５０６１・Ｌ＋１０．１２０８９・・・（１７）
Ｒｍａｘ＝−０．００１６３７・Ｌ４＋０．０５６１３・Ｌ３−０．７１５１・Ｌ２＋４．０８５５・Ｌ−８．３０８５・・・（１８）
【００４４】
厚さＴ＝４．２５ｍｍの最小値の近似曲線Ｓ１（４．２５）と、最大値の近似曲線Ｓ２（４．２５）は式（１９），（２０）で示される。
Ｒｍｉｎ＝０．００１７１１・Ｌ４−０．０５６６６・Ｌ３＋０．６９２９・Ｌ２−３．７２６７・Ｌ＋７．５９８４・・・（１９）
Ｒｍａｘ＝−０．００１７００・Ｌ４＋０．０５４６９・Ｌ３−０．６５０８・Ｌ２＋３．４４７６・Ｌ−６．１４１０・・・（２０）
【００４５】
厚さＴ＝５．５ｍｍの最小値の近似曲線Ｓ１（５．５）と、最大値の近似曲線Ｓ２（５．５）は式（２１），（２２）で示される。
Ｒｍｉｎ＝０．０００８６６１・Ｌ４−０．０２８１４・Ｌ３＋０．３３７７・Ｌ２−１．７９０２・Ｌ＋３．６８１９・・・（２１）
Ｒｍａｘ＝−０．０００６３２２・Ｌ４＋０．０２１３２・Ｌ３−０．２６９６・Ｌ２＋１．５２８０・Ｌ−２．３５４９・・・（２２）
【００４６】
厚さＴ＝７ｍｍの最小値の近似曲線Ｓ１（７．０）と、最大値の近似曲線Ｓ２（７．０）は式（２３），（２４）で示される。
Ｒｍｉｎ＝０．０００２９９９・Ｌ４−０．０１０９９・Ｌ３＋０．１５３４・Ｌ２−０．９７８０・Ｌ＋２．５０３５・・・（２３）
Ｒｍａｘ＝−０．００１６０１・Ｌ４＋０．０５２１３・Ｌ３−０．６２２５・Ｌ２＋３．２２６１・Ｌ−５．１６６７・・・（２４）
【００４７】
これら式（１３）〜（２４）は、いずれも４次の多項式で示されている。ここで、最小値の各近似曲線Ｓ１（１．５），Ｓ１（２．０），Ｓ１（３．０），Ｓ１（４．２５），Ｓ１（５．５），Ｓ１（７）の各係数のうち、各項毎に最小の係数を選別する。同様に最大値の各近似曲線Ｓ２（１．５），Ｓ２（２．０），Ｓ２（３．０），Ｓ２（４．２５），Ｓ２（５．５），Ｓ２（７）の各係数のうち、各項毎に最大の係数を選別する。
例えば、ギャップ比率Ｒを式（４）で表すと、上記の選別により各係数ａ１〜ａ５は以下の範囲となる。具体的には、各項毎の最小の係数が下記範囲の下限値となり、各項毎の最大の係数が下記範囲の上限値となっている。
【００４８】
Ｒ＝ａ１・Ｌ４＋ａ２・Ｌ３＋ａ３・Ｌ２＋ａ４・Ｌ＋ａ５・・・（４）
−０．００６４≦ａ１≦０．００２２０４
−０．０７９８２≦ａ２≦０．２３１６
−３．１０７８≦ａ３≦１．０７７１０
−６．４３９１８≦ａ４≦１８．４１６８
−４０．３９２７≦ａ５≦１４．５４３１
【００４９】
式（１）〜（３）が満たされて、なおかつ各係数ａ１〜ａ５が上記の範囲を満たしたギャップ比率Ｒであれば、放射効率が−８．０ｄＢを越えることになる間隔Ｇをより正確に設定することが可能となる。
【００５０】
さらに、図１５においては、近似曲線Ｓ１（２．０）と近似曲線Ｓ２（１．５）がなす内部領域（図１５におけるハッチング部分）にギャップ比率Ｒが収まっていれば、いずれの厚さＴのアンテナ素子１０であっても、放射効率が−８．０ｄＢを越えることになる。つまり、この内部領域内に収まる間隔Ｇを設定できれば、放射効率の高いアンテナ素子１０をいずれの厚さＴでも実現することができる。
この内部領域内に収める場合の条件は、式（４）における各係数ａ１〜ａ５は、以下の範囲を満たし、なおかつ長さＬとギャップ比率Ｒが式（５），（６）の関係を満たすことである。なお、近似曲線Ｓ１（２．０）と近似曲線Ｓ２（１．５）との各係数のうち、各項毎の最小の係数が下記範囲の下限値となり、各項毎の最大の係数が下記範囲の上限値となっている。この条件を満たすギャップ比率Ｒであれば、厚さＴがいずれであっても放射効率が−８．０ｄＢを越えることになる間隔Ｇを、正確に設定することが可能となる。
【００５１】
−０．００６４≦ａ１≦０．００１５５４
−０．０５５９２≦ａ２≦０．２３１６
−３．１０７８≦ａ３≦０．７５２１７
−４．５０４８≦ａ４≦１８．４１６８
−４０．３９２７≦ａ５≦１０．３０８７
６．６ｍｍ≦Ｌ≦１１ｍｍ・・・（５）
０．０８≦Ｒ≦０．６１・・・（６）
【００５２】
以上のように、上記実施形態によれば、グランド板５０から離れる方向に向けて、グランド板５０の延在方向に対して平行に延在する第１板部１１と、第１板部１１の先端から略垂直に延在する第２板部１２と、第２板部１２の先端からグランド板５０に近づく方向に向けて、第１板部１１に平行に延在する第３板部１３とからなるアンテナ素子１０とともにマッチング回路３０を用い、なおかつ間隔Ｇ、長さＬ及びギャップ比率Ｒが、式（１）〜（３）を満たしているので、携帯電話の筐体内に収まるサイズのアンテナ装置１０であってもワンセグ放送波を受信することができる。これにより、アンテナ装置１０を常に携帯電話の筐体内に内蔵しておくことが可能となるので、携帯電話の外観デザインの自由度を高めつつ、ワンセグ放送受信時の煩わしさを低減することが可能となる。
【００５３】
なお、本発明は上記実施形態に限らず適宜変更可能である。以下の説明において、上記実施形態と同一部分については同一符号を付してその説明を省略する。
【００５４】
例えば、本実施形態では、アンテナ素子１０における第１板部１１と第３板部１３とが同一形状である場合を例示して説明したが、両者が同一の形状でなくともよい。例えば、図１３Ａに示すアンテナ素子１０ａや、図１３Ｂに示すアンテナ素子１０ｂのように、第３板部１３ａ，１３ｂのグランド板５０側に三角形状の切欠１５や、四角形状の切欠１６を設けてもよい。これは第３板部１３ａ，１３ｂのグランド板５０側部分では、流れる電流が僅かなためその部分を省略してもアンテナ特性にあまり影響がないためである。
【００５５】
一方、図１３Ｃに示すアンテナ素子１０ｃでは、第１板部１１ｃに開口１７を形成している。これは、第３板部１３と異なり、第１板部１１ｃは給電線２０に直接接続されているために電流経路となる４方を全てカバーしなければならないからである。
そして、上記したように切欠１５，１６や開口１７を設けることで、そのスペース内に部品を装填することもできるため、小型化や軽量化を図ることが可能となる。
【００５６】
さらに、本実施形態では、第１板部１１と第３板部１３とがほぼ同一の延在長さである場合を例示して説明したが、図１４Ａに示すアンテナ素子１０ｄのように第３板部１１ｄの延在長さが第１板部１１ｄよりも長いものであってもよく、逆に図１４Ｂに示すアンテナ素子１０ｅのように第１板部１１ｅの延在長さが第３板部１３ｅよりも長いものであってもよい。
【符号の説明】
【００５７】
１      アンテナ装置
１０      アンテナ素子
１１      第１板部
１２      第２板部
１３      第３板部
２０      給電線
３０      マッチング回路
４０      給電点
５０      グランド板
５１      基板
５２      フレキシブル基板
【図１】
2009125759.tif 000003
【図２】
2009125759.tif 000004
【図３Ａ】
2009125759.tif 000005
【図３Ｂ】
2009125759.tif 000006
【図３Ｃ】
2009125759.tif 000007
【図４】
2009125759.tif 000008
【図５】
2009125759.tif 000009
【図６】
2009125759.tif 000010
【図７】
2009125759.tif 000011
【図８】
2009125759.tif 000012
【図９】
2009125759.tif 000013
【図１０】
2009125759.tif 000014
【図１１】
2009125759.tif 000015
【図１２】
2009125759.tif 000016
【図１３Ａ】
2009125759.tif 000017
【図１３Ｂ】
2009125759.tif 000018
【図１３Ｃ】
2009125759.tif 000019
【図１４Ａ】
2009125759.tif 000020
【図１４Ｂ】
2009125759.tif 000021
【図１５】
2009125759.tif 000022
【国際調査報告】
2009125759.tif 000023
2009125759.tif 000024